(57)【要約】  照明装置１００、２００、３００、４００が、開示されている。前記装置は、異なる波長の光を供給する複数の光源１１１、１１９、１２０、２１１、２１９、２２０と、受光端部１０３、２０３、４０７及び出力端部１１４、２１４、４０９を持つコリメート手段１０４、２０４とを有し、前記光源は、前記受光端部に配設される。前記コリメート手段は、前記複数の光源の各々に対するサブコリメータ１０６、１０７、１０８、２０６、２０７、２０８であって、前記サブコリメータが、各光源のために、その光源からの光をコリメートするようなサブコリメータとして構成される波長選択フィルタ１０９、１１０、１１５、１１６、１１７、１１８、２１５、２１７のセットであって、前記各光源の前記波長選択フィルタが、隣接光源からの異なる波長の光に対して透光性である波長選択フィルタのセットと、補償フィルタ２２２、２２４、２２６、２２８、２３０、２３２を有する波長選択フィルタの第２セットであって、各補償フィルタが、対応する前記光源の一般的な光の方向のまわりに、前記第１セットの前記波長選択フィルタの対応する部分に対して対称的に配設される波長選択フィルタの第２セットとを有する。
2010536136.tif 000002
【特許請求の範囲】
【請求項１】
異なる波長の光を供給する複数の光源と、
受光端部及び出力端部を持つコリメート手段とを有する照明装置であって、前記光源が、前記受光端部に配設され、前記コリメート手段が、
前記複数の光源の各々に対するサブコリメータであって、前記サブコリメータが、各光源のために、その光源からの光をコリメートするようなサブコリメータとして構成される波長選択フィルタの第１セットであって、前記各光源の前記波長選択フィルタが、隣接光源からの異なる波長の光に対して透光性である波長選択フィルタの第１セットと、
少なくとも１つの補償フィルタを有する波長選択フィルタの第２セットであって、前記補償フィルタが、対応する前記光源の一般的な光の方向のまわりに、前記第１セットの前記波長選択フィルタの対応する部分に対して対称的に配設される波長選択フィルタの第２セットとを有する照明装置。
【請求項２】
前記少なくとも１つの補償フィルタのうちの少なくとも１つが、前記第１セットの波長選択フィルタの、前記少なくとも１つの補償フィルタのうちの前記少なくとも１つに対応する部分と同様のフィルタ特性を持つ請求項１に記載の照明装置。
【請求項３】
前記少なくとも１つの補償フィルタのうちの少なくとも１つが、あらゆる反射が光のフラットな入射角によるものであるような全域通過フィルタである請求項１又は２に記載の照明装置。
【請求項４】
前記少なくとも１つの補償フィルタが、基本的に、１つ又は複数の前記サブコリメータであって、前記１つ又は複数のサブコリメータ内に、各々、前記補償フィルタが存在する１つ又は複数の前記サブコリメータに関連する波長を通す特性を有する請求項１乃至３のいずれか一項に記載の照明装置。
【請求項５】
前記フィルタが、一般的な光出力方向に対して、３乃至３０度、好ましくは５乃至１５度、好ましくは９乃至１１度、好ましくは約１０度の角度をなす請求項１乃至４のいずれか一項に記載の照明装置。
【請求項６】
前記フィルタのうちの、前記受光端部に最も近い部分に配設されるもの、又はフィルタの、前記受光端部に最も近い部分に配設される部分が、一般的な光出力方向に対して、１５乃至３０度、好ましくは２０乃至２５度、好ましくは２１乃至２２度の角度をなし、前記フィルタのうちの、前記出力端部に最も近い部分に配設されるもの、又はフィルタの、前記出力端部に最も近い部分に配設される部分が、一般的な光出力方向に対して、３乃至１５度、好ましくは４乃至１０度、好ましくは５乃至６度の角度をなす請求項１乃至４のいずれか一項に記載の照明装置。
【請求項７】
光の前記波長が、基本的に、可視光の波長の範囲内である請求項１乃至６のいずれか一項に記載の照明装置。
【請求項８】
前記光源が、固体光源を含む請求項１乃至７のいずれか一項に記載の照明装置。
【請求項９】
前記固体光源が、発光ダイオードを含む請求項８に記載の照明装置。
【請求項１０】
前記光源が、各々、基本的に、赤色光、緑色光及び青色光を放射する３つの光源を含む請求項１乃至９のいずれか一項に記載の照明装置。
【請求項１１】
前記波長選択フィルタのいずれかが、ダイクロイックフィルタである請求項１乃至１０のいずれか一項に記載の照明装置。
【請求項１２】
前記コリメート手段が、取り囲む反射器を更に有する請求項１乃至１１のいずれか一項に記載の照明装置。
【請求項１３】
前記出力端部にディフューザを更に有する請求項１乃至１２のいずれか一項に記載の照明装置。
【請求項１４】
前記ディフューザが、ホログラフィックディフューザである請求項１３に記載の照明装置。
【請求項１５】
前記波長選択フィルタが、ハイパスフィルタ又はローパスフィルタである請求項１乃至１４のいずれか一項に記載の照明装置。
【請求項１６】
より長い波長を持つ別の光源に隣接する光源のための前記サブコリメータのいずれかの波長選択フィルタが、ローパスフィルタであり、より短い波長を持つ別の光源に隣接する光源のための前記サブコリメータのいずれかの波長選択フィルタが、ハイパスフィルタである請求項１５に記載の照明装置。
【請求項１７】
前記光源が、波長順に配設される請求項１５又は１６のいずれかに記載の照明装置。
【発明の詳細な説明】
【技術分野】
【０００１】
本発明は、照明装置に関する。具体的には、本発明は、複数の光源からの光をコリメートするサブコリメータとして構成される波長選択フィルタのセットを持つ照明装置に関する。
【背景技術】
【０００２】
国際特許出願公開第WO 2006/129220 A1号は、コリメート手段であって、或る特定の特性の光を前記コリメート手段の出力領域の方へ反射するフィルタを含むコリメート手段を有する発光装置を開示している。国際特許出願公開第WO 2006/129220 A1号において開示されている発光装置のような発光装置では、前記フィルタにおける望ましくない反射による、変色効果があり得る。それ故、改良された照明装置を提供することが望みである。
【発明の概要】
【発明が解決しようとする課題】
【０００３】
本発明の目的は、上記のことを鑑みて、上記の問題を解決する又は少なくとも減らすことである。具体的には、目的は、変色を減らすことである。
【課題を解決するための手段】
【０００４】
本発明は、波長選択フィルタにおける望ましくない反射は、前記フィルタに対してフラットに入射する光において起こり得るという理解に基づいている。本発明は、更に、前記照明装置に、より対称的な構造のフィルタ構成を設けることで、前記望ましくない光は、より一様に拡散させられ、従って、変色は、減るであろうという理解に基づいている。
【０００５】
本発明の第１の態様によれば、異なる波長の光を供給する複数の光源と、受光端部及び出力端部を持つコリメート手段とを有する照明装置であって、前記光源が、前記受光端部に配設され、前記コリメート手段が、前記複数の光源の各々に対するサブコリメータであって、前記サブコリメータが、各光源のために、その光源からの光をコリメートするようなサブコリメータとして構成される波長選択フィルタの第１セットであって、前記各光源の前記波長選択フィルタが、隣接光源からの異なる波長の光に対して透光性である波長選択フィルタの第１セットと、少なくとも１つの補償フィルタを有する波長選択フィルタの第２セットであって、前記補償フィルタが、対応する前記光源の一般的な光の方向のまわりに、前記第１セットの前記波長選択フィルタの対応する部分に対して対称的に配設される波長選択フィルタの第２セットとを有する照明装置が提供される。したがって、前記第１セットの前記波長選択フィルタに対してフラットな入射角による反射は、対応する前記光源の一般的な光の方向のまわりに対称的である反射を与え、したがって、より一様な拡散を与える対応する補償フィルタによって補償され、変色を少なくする。ここでは、対応する前記光源の一般的な光の方向のまわりに対称的とは、前記光源から放射される光の中心を形成するとみなされる線であって、前記光がその線のまわりの同心ビームとして拡散される線のまわりに対称的と解釈されるべきである。
【０００６】
前記補償フィルタのうちの少なくとも１つは、前記第１セットの波長選択フィルタの、前記補償フィルタのうちの前記少なくとも１つに対応する部分と同様のフィルタ特性を持ち得る。それによって、フィルタ特性に関しても、一様な拡散を供給するための対称性が得られる。
【０００７】
前記補償フィルタのうちの少なくとも１つは、あらゆる反射が光のフラットな入射角によるものであるような全域通過フィルタであり得る。これは、例えば、ガラス板であり得る。したがって、フィルタ特性を考慮に入れる必要がなく、且つ／又は前記補償フィルタは、より安価であり、より製造し易い。
【０００８】
前記補償フィルタは、各々、基本的に、１つ又は複数の前記サブコリメータであって、前記１つ又は複数のサブコリメータ内に、各々、前記補償フィルタが存在する１つ又は複数の前記サブコリメータに関連する波長を通す特性を有し得る。それによって、前記補償フィルタは、隣接するサブコリメータに支障を及ぼさない。
【０００９】
前記補償フィルタのフィルタ特性の割り当ては、前記補償フィルタによって異なってもよい。したがって、或る補償フィルタは、前記第１セットの波長選択フィルタの、前記或る補償フィルタに対応する部分と同様のフィルタ特性を有してもよく、別の補償フィルタは、全域通過フィルタであってもよい。ここでは、前記照明装置内には、補償の要件に応じて、１つ以上の補償フィルタが設けられ得ることに注意されたい。
【００１０】
前記補償フィルタは、各々、基本的に、１つ又は複数の前記サブコリメータであって、前記１つ又は複数のサブコリメータ内に、各々、前記補償フィルタが存在する１つ又は複数の前記サブコリメータに関連する波長を通す特性を有し得る。
【００１１】
前記フィルタは、一般的な光出力方向に対して、３乃至３０度、好ましくは５乃至１５度、好ましくは９乃至１１度、好ましくは約１０度の角度をなし得る。
【００１２】
前記フィルタのうちの、前記受光端部に最も近い部分に配設されるもの、又はフィルタの、前記受光端部に最も近い部分に配設される部分は、一般的な光出力方向に対して、１５乃至３０度、好ましくは２０乃至２５度、好ましくは２１乃至２２度の角度をなし得る。前記フィルタのうちの、前記出力端部に最も近い部分に配設されるもの、又はフィルタの、前記出力端部に最も近い部分に配設される部分は、一般的な光出力方向に対して、３乃至１５度、好ましくは４乃至１０度、好ましくは５乃至６度の角度をなし得る。
【００１３】
光の前記波長は、基本的に、可視光の波長の範囲内であり得る。しかしながら、本発明は、赤外線、紫外線又はＸ線の放射線などの他の放射線にも適用され得る。
【００１４】
前記光源は、固体光源を含み得る。前記固体光源は、発光ダイオードを含み得る。
【００１５】
前記光源は、各々、基本的に、赤色光、緑色光及び青色光を放射する３つの光源を含み得る。
【００１６】
前記波長選択フィルタのいずれかは、ダイクロイックフィルタであり得る。
【００１７】
前記コリメート手段は、取り囲む反射器を更に有し得る。前記取り囲む反射器は、この又はこれらの１つ以上のサブコリメータが前記コリメート手段の境界に配設される場合の前記サブコリメータの１つ以上の一部であり得ることに注意されたい。
【００１８】
前記照明装置は、前記出力端部にディフューザを更に有し得る。前記ディフューザは、ホログラフィックディフューザであり得る。これは、強度及び／又は色の非一様性を更に最小限にするであろう。
【００１９】
前記波長選択フィルタは、ハイパスフィルタ又はローパスフィルタであり得る。バンドパスフィルタ又はバンドストップフィルタの代わりに、ハイパスフィルタ又はローパスフィルタを用いることの利点は、ハイパスフィルタ及びローパスフィルタにおいては、バンドパスフィルタ及びバンドストップフィルタにおけるより、良好なフィルタ特性を達成するのが容易であることである。
【００２０】
より長い波長を持つ別の光源に隣接する光源のための前記サブコリメータのいずれかの波長選択フィルタは、ローパスフィルタであり得る。より短い波長を持つ別の光源に隣接する光源のための前記サブコリメータのいずれかの波長選択フィルタは、ハイパスフィルタであり得る。この構成により、前記光源及び前記光源のサブコリメータは、干渉せずに、重ね合わされることができ、したがって、より小さなユニット及びより良好な色混合を供給することができる。
【００２１】
前記光源は、波長順に配設され得る。これは、バンドパスフィルタ又はバンドストップフィルタの使用を避けることを可能にするであろう。
【００２２】
一般に、請求項において用いられている全ての用語は、本願明細書で明示的に違った風に規定されていない限り、技術分野におけるそれらの通常の意味に従って解釈されるべきである。「素子、装置、成分、手段、ステップなど」への言及は、全て、明示的に違った風に述べられていない限り、前記素子、装置、成分、手段、ステップなどの少なくとも１つの例に関するものとオープンに解釈されるべきである。本願明細書で開示されている如何なる方法のステップも、明示的に述べられていない限り、開示されている通りの正確な順序で実施される必要はない。
【００２３】
本発明の他の目的、特徴及び利点は、以下の詳細な開示、添付の従属請求項及び図面から明らかになるであろう。
【００２４】
本発明の、上記の及び付加的な、目的、特徴及び利点は、以下の、添付の図面に関する本発明の好ましい実施例の、説明的な、非限定的な詳細な記載を通してよりよく理解されるであろう。添付の図面においては、同様な要素には同じ参照符号が用いられている。
【図面の簡単な説明】
【００２５】
【図１】照明装置を概略的に図示する。
【図２】本発明の実施例による照明装置を概略的に図示する。
【図３ａ】本発明の実施例による照明装置を図示する。
【図３ｂ】本発明の実施例による照明装置を図示する。
【図４ａ】本発明の実施例による照明装置を図示する。
【図４ｂ】本発明の実施例による照明装置を図示する。
【図５】照明装置のフィルタに対するフラットな入射角に起因して起こりうる反射を図示する。
【発明を実施するための形態】
【００２６】
図１は、照明装置１００であって、前記照明装置１００が、所望の色特性を持つ光、例えば、好ましい色温度を持つ白色光、又は着色光を供給することができるように、各々が異なる波長領域を持つ複数の光源１０２を有する照明装置１００を概略的に図示している。好ましい色温度を達成するための光源１０２の選択及び制御は、当業界では既知であり、本発明の一部ではない。しかしながら、よりよい理解のために、光源１０２は、有利なことに、例えば、各々、赤色光、緑色光及び青色光を供給する、発光ダイオード（ＬＥＤ）を含み得ることに注意されたい。光源１０２は、照明装置１００のコリメート手段１０４の受光端部１０３に配設される。
【００２７】
したがって、照明装置１００は、光源１０２の各々のためのサブコリメータ１０６、１０７、１０８を含むコリメート手段１０４を有する。本発明の理解のために、サブコリメータ１０６に注目する。サブコリメータ１０６は、対応する光源１１１から放射される光に対して反射性であるコリメート素子１０９、１１０を有する。コリメート素子１０９、１１０は、波長選択フィルタ、例えば、ダイクロイックフィルタであり得る。したがって、これらのフィルタ、即ち、コリメート素子１０９、１１０は、他の色の光に対して透光性であることができ、したがって、図１に図示されているコンパクトな構造を可能にする。例えば、光源１１１が赤色光を放射する場合には、前記コリメート素子は、赤色光は反射するが、緑色光及び青色光に対してはほぼ透光性であるよう構成される。このようなフィルタは、各々の側に１６層のSiO2及びTa2O5のフィルタを備えるガラス板によって達成され得る。 これは、約600nmより少し長い波長を備える光、即ち、赤色光は反射するであろうが、それより短い波長を備える可視光、即ち、緑色光及び青色光は透過するであろう。光源１１１からの光の２つの例示的な光線１１２、１１３を考える場合、図１における左側光線１１２は、対応するコリメート素子１０９によって反射され、コリメート手段１０４の出力端部１１４において出て行き、図１における右側光線１１３は、隣接コリメート素子１１５を通り抜けて伝達され、対応するコリメート素子１１０によって反射され、次の隣接コリメート素子１１７を通り抜けて伝達され、コリメート手段１０４の出力端部１１４において出て行くであろう。赤色光は、隣接コリメート素子１１５、１１７の特性により、それらを通過することができる。例えば、コリメート素子１１５は、緑色光を反射し、赤色光を透過することができる。このように、ここでは、青色光に対する特性は重要ではない。下で説明するように、コリメート素子１１５は、任意に、バンドストップタイプのフィルタ、例えば、各々の側に１４層のSiO2及びTa2O5のフィルタを備えるガラス板であることができ、したがって、青色光も透過することができ、又は任意に、赤色光は透過するが、緑色光は反射するローパスフィルタであることができる。コリメート素子１１５は、青色光を反射し得るが、これは、必須の特性ではない。
【００２８】
同様に、光源１１９からの光、例えば緑色光は、コリメート素子１１５及び１１６によってコリメートされるが、隣接コリメート素子１１０、１１７はただ通過するだけであり、光源１２０からの光、例えば青色光は、コリメート素子１１７及び１１８によってコリメートされるが、隣接コリメート素子１１０、１１６はただ通過するだけである。ここで、コリメート素子１１６は、緑色光を反射し、青色光を透過する必要があるが、赤色光に対する特性は任意であることが分かる。同様に、コリメート素子１１７は、青色光を反射し、赤色光及び緑色光を透過する必要があり、コリメート素子１１８は、青色光を反射する必要があるが、緑色光及び赤色光に対する特性は任意であり、したがって、コリメート素子１１８は、金属又は被覆金属などの広帯域反射器であり得ることが分かる。このようにして、コリメート手段１０４の出力端部１１４において、所望の特性を備える集合光が放射される。したがって、コリメート素子は、例えば、各々の側に１２層のSiO2及びTa2O5のフィルタを備えるガラス板によって、青色光に対して反射性であり、赤色光及び緑色光に対して透光性であり得る。
【００２９】
上記でオプションとして提案しているように、中央のサブコリメータ１０７は、バンドストップタイプのフィルタを含む必要がない。これは、どんな波長が、隣接サブコリメータ中に存在し、したがって、コリメート素子を通過する必要があるのかを考慮に入れることで、達成され得る。したがって、コリメート素子１１５は、赤色光しか通過させず、緑色光及び青色光は反射するローパスフィルタであることができ、コリメート素子１１６は、青色光しか通過させず、赤色光及び緑色光は反射するハイパスフィルタであることができる。このことの利点は、適切なローパスフィルタ又はハイパスフィルタを設けることは、阻止帯域の両側に良好な通過帯域特性を持つバンドストップタイプのフィルタを設けるより容易であることである。したがって、ローパスフィルタ及びハイパスフィルタしか用いないことで、照明装置１００のパフォーマンスを改善することができ、例えば光パターンの境界における変色を少なくするであろう。
【００３０】
光がフィルタに対して本当にフラットに入射するところでは、フィルタ特性とは無関係に、少なくとも無視できない量の光が反射される。この意図せずに反射される光は、供給される光パターンを悪化させ、変色をもたらすであろう。本発明者は、変色が特にコリメータの非対称性に起因することに気付いた。それ故、本発明の実施例によれば、この非対称性を減らすために、したがって、変色を減らすために、補償フィルタが設けられ得る。
【００３１】
図２は、このような補償フィルタを有する本発明の実施例による照明装置２００を概略的に図示している。原則的に、この実施例の照明装置２００は、図１に関連して開示されている実施例において明らかにされている特徴を有し、共通の素子については、この実施例の特別な技術的な特徴への言及のために必要とされる場合にしか述べない。図２において図示されているもののような照明装置における光線の例示的な反射を図示しいている図５を部分的に参照する。図５に図示されている原理は、補償フィルタを有する実施例のいずれにも等しく適用可能であることに注意されたい。
【００３２】
照明装置２００の光源２１１から放射される例示的な光について考える。前記例示的な光は、隣接コリメート素子２１５を通り抜けて伝達されなければならないが、前記光の少なくとも無視できない一部は、この隣接コリメート素子２１５に対するフラットな入射に起因して、例えば図５において光線５００によって図示されているように、この隣接コリメート素子２１５によって反射される。仮に、光源２１１が、赤色光の波長領域を持つ光を供給するとしたら、照明装置によって供給される光パターンは、補償されない限り、「左側に」あまりに多くの赤色を供給するであろう。したがって、隣接コリメート素子２１５の、照明装置２００のコリメート手段２０４の受光端部２０３に最も近い部分を補償するために、補償フィルタ２２２が、光源２１１と関連するサブコリメータ２０６において対称性を供給するよう配設される。補償フィルタ２２２の特性は、好ましくは、コリメート素子２１５の特性と、例えば同一のフィルタ特性を持つことによって、整合させられる。このようにして、図５において光線５０２によって図示されているように、対応する「右側への」反射が供給される。図５は、望ましくない反射が生じ得る他の例示的な光線、及び補償フィルタにおける対応する補償反射も図示している。
【００３３】
同様にして、次の隣接コリメート素子２１７における反射の補償のためには、それ故、次の隣接コリメート素子２１７の、サブコリメータ２０６と空間を共有する、コリメート手段２０４の出力端部２１４に最も近い部分における反射の補償のためには、補償フィルタ２２４が、次の隣接コリメート素子２１７の、出力端部２１４に最も近いこの部分に対して対称的に設けられる。
【００３４】
同様に、光源２２０と関連するサブコリメータ２０８内には、補償フィルタ２２６、２２８が設けられる。
【００３５】
光源２１１が赤色光を供給する例の延長線上において、光源２２０は青色光を供給すると仮定する。その場合、赤色及び青色においてより拡散される光を達成するであろうが、この光は一様に拡散される。他方、おそらく、変色のない白色光を供給するためには、光パターンの幾つかの部分において、光源２１９の色、例えば緑色が不足しているであろう。これを補償するため、緑色光を、赤色光及び青色光と同様に拡散させる補償フィルタ２３０、２３２が設けられる。これらのフィルタ２３０、２３２は、好ましくは、緑色光を透過する。なぜなら、それらは、「緑色の」サブコリメータ２０７内に存在するからである。フィルタ２３０の、青色光領域における特性は任意である。しかしながら、補償フィルタ２３０は、「赤色の」サブコリメータ２０６内にも存在し、したがって、赤色光を透過する必要がある。ここで示されている例においては、補償フィルタ２３０は、好ましくは、赤色光及び緑色光は透過するが、青色光は反射するローパスフィルタである。対応するようにして、補償フィルタ２３２は、「青色の」サブコリメータ２０８内にも存在し、したがって、青色光を透過する必要がある。ここで示されている例においては、補償フィルタ２３２は、好ましくは、青色光及び緑色光は透過するフィルタ、例えば、青色光及び緑色光は透過するが、赤色光は反射するハイパスフィルタ又は被覆されていないガラス板である。したがって、これらの補償フィルタ２３０、２３２のために、サブコリメータ２０７内の完全な対称性はないが、実際には、これは問題ではない。なぜなら、反射は、主に、光源２１９からの光のフラットな入射に依存し、フィルタ特性には依存しないからである。しかしながら、補償フィルタ２３２は、緑色光及び赤色光に対しては透明である必要があるが、青色光に対する特性は任意である。
【００３６】
上記では、補償フィルタの原理を理解しやすくするために、光源２１１、２１９及び２２０が、各々、赤色、緑色及び青色光を放射する例が示されている。しかしながら、当業者には容易に理解され得るように、光源から放射される色の他の割り当ても考えられる。同様に、上記では、異なる色を持つ３つの光源及びそれらの関連サブコリメータが用いられる例が示されている。しかしながら、当業者には容易に理解され得るように、他の色、即ち、他の波長領域を持つより多くの光源も、関連サブコリメータと共に用いられ得る。各サブコリメータには、２つ以上の光源、例えばＬＥＤが関連づけられ得る。例えば、１つのサブコリメータ内に、赤色及び琥珀色の光源が設けられ得る。本発明は、照明用途に応じて、低出力光源と高出力光源との両方に適用可能である。補償フィルタを用いる原理は、波長選択フィルタ以外のフィルタ、例えば偏光フィルタにも適用可能である。異なる要求に応じた照明装置を提供するためには、開示されている補償フィルタの全ては必要とされない。所望の照明装置を得るために、開示されている補償フィルタのうちの１つ以上が付加され得る。選択肢としては、例えば、図２に示されている補償フィルタ２２２及び２２６しか持たないもの、図２に示されている補償フィルタ２２４及び２２８しか持たないもの、又は図２に示されている補償フィルタ２２２、２２４、２２６及び２２８しか持たないものがある。
【００３７】
図３ａは、本発明の実施例によるコリメート手段及び光源を有する擬似セクション内の照明装置３００を図示している。図３ａにおいては、コリメート手段は、図２に図示されているものと同様の構造を持つ。しかしながら、別の実施例として、図１に図示されているもののような構造も、同様に可能である。下記のように、より多くの又はより少ない補償フィルタを有する他の実施例も、同様に可能である。照明装置３００は、取り囲む反射器３０２を更に有する。前記取り囲む反射器３０２は、金属反射器であり得る。反射器は、外側コリメート素子３０４、３０６によって反射されないあらゆる光を反射し、且つ／又はコリメート手段を担持する役割を果たし得る。オプションとしては、外側コリメート素子３０４、３０６は、全くフィルタではなく、反射は、直接、取り囲む反射器３０２においてなされる。この原理は、図４ａにおいてより詳細に図示されている。線Ａ−Ａに沿った断面図における照明装置３００である図３ｂに図示されているように、反射器３０２は、コリメート手段のコリメート素子に対して垂直なコリメーションにも役立つ。コリメート手段の出力端部には、オプションとして、ディフューザ３０８が設けられ得る。ディフューザ３０８は、ホログラフィックディフューザであり得る。ホログラフィックディフューザは、ホログラフィック技術を用いて作成されるが、干渉に頼らず、したがって、色収差が非常に少ない。
【００３８】
上記では、例として、ＬＥＤが用いられているが、レーザ、蛍光灯などのような他の光源も使用可能である。
【００３９】
図４ａは、本発明の実施例によるコリメート手段及び光源を有する擬似セクション内の照明装置４００を図示している。コリメート手段は、図２及び５に関連して記載されているのと同様の機能を持つコリメート素子４０２及び補償フィルタ４０４を有する。上記のように、より多くの又はより少ない補償フィルタを有する他の実施例も、同様に可能である。図４ａに図示されている特別な特徴は、コリメート素子４０２が、コリメート素子の、照明装置４００のコリメート手段の受光端部４０７に最も近い部分４０６においては、一般的な光出力方向に対して第１の角度をなし、コリメート素子４０２が、コリメート素子の、照明装置４００のコリメート手段の出力端部４０９に最も近い部分４０８においては、一般的な光出力方向に対して第２の角度をなすことである。これらの角度は、好ましくは、フィルタの角度依存性を考慮に入れて最適化される。図３ａに図示されているコリメート手段の全てのコリメート素子及びオプションの補償フィルタの、一般的な光出力方向に対する角度は、好ましくは、３乃至３０度、好ましくは５乃至１５度、好ましくは８乃至９度であり、図４ａに図示されているコリメート手段の第１の角度は、１５乃至３０度、好ましくは２０乃至２５度、好ましくは２１乃至２２度であり、第２の角度は、３乃至１５度、好ましくは４乃至１０度、好ましくは５乃至６度である。補償フィルタの対応する角度は、当然、それらが補償するよう構成されるコリメート素子と同じである。
【００４０】
図４ｂは、照明装置４００を線Ｂ−Ｂに沿った断面図で図示している。取り囲む反射器４１２は、コリメート手段のコリメート素子に対して垂直なコリメーションにも役立つ。
【００４１】
コリメート手段の出力端部には、オプションとして、ディフューザ４１０が設けられ得る。ディフューザ４１０は、ホログラフィックディフューザであり得る。ホログラフィックディフューザは、ホログラフィック技術を用いて作成されるが、干渉に頼らず、したがって、色収差が非常に少ない。
【００４２】
上記では、図４に関連して、異なる色を持つ３つの光源及びそれらの関連サブコリメータが用いられる例が示されている。しかしながら、当業者には容易に理解され得るように、他の色、即ち、他の波長領域を持つより多くの光源も、関連サブコリメータと共に用いられ得る。各サブコリメータには、２つ以上の光源、例えばＬＥＤが関連づけられ得る。例えば、１つのサブコリメータ内に、赤色及び琥珀色の光源が設けられ得る。本発明は、照明用途に応じて、低出力光源と高出力光源との両方に適用可能である。補償フィルタを用いる原理は、波長選択フィルタ以外のフィルタ、例えば偏光フィルタにも適用可能である。異なる要求に応じた照明装置を提供するためには、開示されている補償フィルタの全ては必要とされない。図２に関連して記載されているものと同様な望ましい照明装置を得るためには、開示されている補償フィルタのうちの１つ以上が付加され得る。
【００４３】
上記では、主に、少数の実施例に関連して本発明を説明した。しかしながら、当業者には容易に理解されるであろうように、添付の特許請求の範囲によって規定されているような本発明の範囲内で、上記で開示されているもの以外の実施例も同様に可能である。
【図１】
2010536136.tif 000003
【図２】
2010536136.tif 000004
【図３ａ】
2010536136.tif 000005
【図３ｂ】
2010536136.tif 000006
【図４ａ】
2010536136.tif 000007
【図４ｂ】
2010536136.tif 000008
【図５】
2010536136.tif 000009
【国際調査報告】
2010536136.tif 000010
2010536136.tif 000011
2010536136.tif 000012